(57)【特許請求の範囲】
【請求項１】
一時的な警報解除操作を行う応急スイッチ、ドアもしくは窓の開閉を検知する検知部、該検知部で検知された信号を処理する制御部、及び該制御部で処理された信号に基づき警報信号をコントローラに送信する送受信部と、が本体ケースに設けられたドア等開閉検知センサであって、
前記制御部は、前記応急スイッチが操作されその信号が入力された際に、予め設定した所定時間内に住人によりドアもしくは窓が開放されて前記検知部がオンした場合に、前記コントローラによる警報信号の発信を禁止させると共に前記コントローラ側の解除操作による警戒状態への復帰を禁止させる応急信号を前記送受信部を介して前記コントローラに送信すると共に、前記所定時間内に前記検知部からドアもしくは窓の開状態を示す信号が入力された際は、ドアもしくは窓の閉状態を示す信号が入力された場合に、前記応急信号をリセットすることを特徴とするドア等開閉検知センサ。
【請求項２】
前記本体ケースに、前記応急スイッチの操作状態と前記所定時間を表示可能な表示灯を設けたことを特徴とする請求項１に記載のドア等開閉検知センサ。
【発明の詳細な説明】
【技術分野】
【０００１】
本発明は、侵入警報システム等に使用されて、侵入者によるドアや窓（ドア等という）の開閉を検知するドア等開閉検知センサに係わり、特に、一時的に警報をキャンセル可能なドア等開閉検知センサに関する。
【背景技術】
【０００２】
従来、ドア等開閉検知センサとしては、ワイヤレスマグネットセンサが使用されている。このワイヤレスマグネットセンサは、本体ケース内にマイコン等の制御部と送受信部等を備えると共に、リードスイッチ等の検知スイッチを備え、検知スイッチが例えばドア枠に取り付けたマグネットによりオン・オフしてドアの開閉が検知されるようになっている。そして、侵入警報システムが解除されていない警戒中に住人（非侵入者）が窓を開けると、この窓の開放を開閉検知センサが検知して一階の玄関等に設置されているコントローラに警報信号を送信し、コントローラから例えば警備会社等に警報が発せられるようになっている。なお、この種のドア等開閉検知センサに関する公報としては、例えば特許文献１がある。
【特許文献１】特開２００１−２９８３５３号公報
【発明の開示】
【発明が解決しようとする課題】
【０００３】
しかしながら、このようなドア等開閉検知センサにおいては、侵入警報システムの解除がコントローラの操作で行うようになっているため、例えば侵入警報システムの作動中に、住人が二階の部屋の窓を開けて掃除しようとして警報システムを一時的に解除する場合、住人が一階のコントローラの設置場所まで一々戻って解除操作する必要があり、その操作性（使い勝手）が劣ることになる。
【０００４】
本発明は、このような事情に鑑みてなされたもので、その目的は、簡易な構成により一時的な警報解除を簡単に行うことができて、操作性に優れたドア等開閉検知センサを提供することにある。
【課題を解決するための手段】
【０００５】
かかる目的を達成すべく、本発明のうち請求項１に記載の発明は、一時的な警報解除操作を行う応急スイッチ、ドアもしくは窓の開閉を検知する検知部、該検知部で検知された信号を処理する制御部、及び該制御部で処理された信号に基づき警報信号をコントローラに送信する送受信部と、が本体ケースに設けられたドア等開閉検知センサであって、前記制御部は、前記応急スイッチが操作されその信号が入力された際に、予め設定した所定時間内に住人によりドアもしくは窓が開放されて前記検知部がオンした場合に、前記コントローラによる警報信号の発信を禁止させると共に前記コントローラ側の解除操作による警戒状態への復帰を禁止させる応急信号を前記送受信部を介して前記コントローラに送信すると共に、前記所定時間内に前記検知部からドアもしくは窓の開状態を示す信号が入力された際は、ドアもしくは窓の閉状態を示す信号が入力された場合に、前記応急信号をリセットすることを特徴とする。
【０００６】
また、請求項２に記載の発明は、前記本体ケースに、前記応急スイッチの操作状態と前記所定時間を表示可能な表示灯を設けたことを特徴とする。
【発明の効果】
【０００７】
本発明のうち請求項１に記載の発明によれば、本体ケースに設けた応急スイッチが操作された際に、予め設定した所定時間、コントローラによる警報信号の発信を禁止させる応急信号を送受信部を介してコントローラに送信するため、本体ケースに応急スイッチを設けてこの信号を制御部で処理するという簡易な構成により、本体ケース部分で一時的な警報解除操作を行うことができて、センサの操作性を向上させることができる。
【０００８】
また、請求項２に記載の発明によれば、請求項１に記載の発明の効果に加え、本体ケースに応急スイッチの操作状態と所定時間を表示可能な表示灯が設けられているため、住人等が表示灯の表示により応急スイッチの操作状態や応急状態中である時間を確実かつ簡単に把握できて、センサ自体の使い勝手の向上が図れると共に一層信頼性に優れた警戒状態を容易に得ることができる。
【発明を実施するための最良の形態】
【０００９】
以下、本発明の実施の形態を図面に基づいて詳細に説明する。
図１〜図６は、本発明に係わるドア等開閉検知センサの一実施形態を示し、図１がその平面図、図２が底面図、図３が側面図、図４が制御系のブロック図、図５及び図６が動作の一例を示すフローチャートである。
【００１０】
図１〜図３に示すように、ドア等開閉検知センサ１（以下、センサ１という）は、縦長の長方形状の本体ケース２を有している。この本体ケース２は、有底状の本体部２ａと、この本体部２ａの前面下部に着脱可能に配設された電池カバー部２ｂとで構成され、本体部２ａの前面下部には、応急スイッチ３と表示灯４が本体ケース２の前面に露出する状態で配設されている。
【００１１】
前記応急スイッチ３は、例えばプッシュスイッチ等で構成され、前方から住人の指により押圧操作されることにより、オン・オフするようになっている。また、前記表示灯４は、複数色（例えば赤色と緑色）のＬＥＤで形成され、後述する警報送信時に赤色ＬＥＤが点灯し、警報の一時解除時や電池警告時に緑色ＬＥＤが点滅するようになっている。なお、前記本体ケース２内には、リチウム電池等の電池５が収納配置されると共に、後述する制御部６等が内蔵配置されている。また、前記電池カバー２ｂは、本体部２ａにカバーネジ１１（図２参照）によって固定されている。
【００１２】
図４は、このセンサ１の制御系のブロック図を示している。図４に示すように、センサ１は、マイコン等からなりＣＰＵ７とタイマ８等を有する制御部６と、この制御部６に電源を供給する前記電池５と、制御部６の入力側に接続された検知部９及び前記応急スイッチ３と、制御部６の出力側に接続された前記表示灯４と、通信モジュール等からなる前記送受信部１０と、記憶部１４等を備えている。
【００１３】
そして、図示しないドア枠に設けたマグネット１２に対向配置されたリードスイッチ等からなる検知部９が、ドア等の開閉に伴って移動するマグネット１２の接離によりオン・オフして、その信号が制御部６に入力されるようになっている。また、送受信部１０は例えば住宅の一階の玄関に設けたコントローラ１３に無線で接続され、センサ１からこのコントローラ１３に警報信号や後述する応急信号が送信されて、このコントローラ１３から警備会社等に所定の信号が送信されるようになっている。
【００１４】
次に、このように構成されたセンサ１の基本的な動作の一例を図５のフローチャートに基づいて説明する。なお、図５に示すフローチャートは、前記記憶部１４に予め記憶されたプログラムにしたがって自動的に実行される。先ず、センサ１の設置は、本体ケース２に電池５をセットして、該本体ケース２を例えばドア枠の所定位置に両面テープ等により取付け、この本体ケート２の検知部９と対向する窓（もしくはドア）の所定位置にマグネット１２を取付けることにより行われる。
【００１５】
そして、図５に示すように、コントローラ１３によって警戒状態に設定されると、センサ１のプログラムが開始（Ｓ１００）され、応急スイッチ３がオンが否かが判断（Ｓ１０１）され、この判断Ｓ１０１は「ＹＥＳ」になるまで繰返される。この判断Ｓ１０１で「ＹＥＳ」になると、すなわち住人が掃除等のためにセンサ１が設置されている窓を開けようとして、本体ケース２の前面に設けられている応急スイッチ３を押圧操作すると、応急スイッチ３からＯＮ信号（もしくはＯＦＦ信号）が制御部６に入力される。
【００１６】
この信号が制御部６で確認されると、表示灯４（例えば赤色ＬＥＤ）を点灯し、このとき、制御部６は、応急スイッチ３が例えば０．３秒以上押された場合にのみ応急スイッチ３がオンであると判定して、表示灯４が所定時間Ｔ赤色で点灯するようになっており、この表示灯４の点灯中に住人によって窓が開放される。
【００１７】
表示灯４が点灯すると、制御部６内のタイマ８がスタート（Ｓ１０２）し、タイマの設定時間である前記所定時間Ｔが経過してタイマ８がタイムアップしたか否かが判断（Ｓ１０３）される。そして、判断Ｓ１０３で「ＮＯ」の場合、すなわちタイマが時間Ｔ（５秒）経過していない場合は、検知部９がオンが否かが判断（Ｓ１０４）され、この判断Ｓ１０４で「ＮＯ」の場合はステップＳ１０３に戻り、判断Ｓ１０４で「ＹＥＳ」の場合、すなわち、タイマが作動中に住人により窓が開放されて検知部９がオンした場合は、応急状態であることを示す信号（応急信号という）がコントローラ１３に送信（Ｓ１０５）される。
【００１８】
このとき、制御部６からは応急信号と検知部９の検知信号の両信号がコントローラ１３に送信され、コントローラ１３は応急信号によりセンサ１が応急状態であると判定し、検知信号は無視する状態で警備会社等への警報信号の発信を禁止、すなわち警報動作をしないようになっている。なお、コントローラ１３は、応急スイッチ３の操作による応急信号が入力されると、コントローラ１３側の解除操作による警戒状態への復帰ができないようになっている。
【００１９】
一方、前記判断Ｓ１０３で「ＹＥＳ」の場合、すなわち、応急スイッチ３をオンした後で時間Ｔ＝５秒以内（表示灯４が赤色で点灯している間）に窓を開放せずタイマ８がタイムアップした場合は、一連のプログラムを終了（Ｓ１０６）して、センサ１が自動的に初期状態（警戒状態）に戻るようになっている。つまり、このフローチャートによれば、応急スイッチ３がオン操作されると共に窓が開放されてこれを検知部９が検知した際に、検知部９の検知信号を制御部６が応急状態（警報一時解除状態）と判断して、警報信号でない旨の信号（応急信号）をコントローラ１３に送信して、コントローラから警備会社への警報動作が禁止されることになる。
【００２０】
また、応急信号のリセットは、図６に示すフローチャートで実行される。すなわち、前記判断Ｓ１０４で検知部９がＯＮか否かが判断され、この判断Ｓ１０４で「ＹＥＳ」の場合に、検知部９がＯＦＦか否かが判断（Ｓ１０７）され、この判断Ｓ１０７で「ＹＥＳ」の場合、すなわち、応急スイッチをＯＮさせて窓を開放して掃除等をした後に窓が閉められた場合は、応急動作（応急信号）をリセット（Ｓ１０８）して終了（Ｓ１０６）する。
【００２１】
また、判断Ｓ１０３でタイムアップした場合も、応急動作をリセット（Ｓ１０８）して一連のプログラムが終了する。つまり、窓を開放した応急状態の際に窓を再び閉めることにより、応急動作が自動的にリセットされて、警戒状態に設定されることになり、応急操作時の無警戒状態から警戒状態への復帰が確実に行えることになる。
【００２２】
このように、上記実施形態のセンサ１にあっては、本体ケース２に設けた応急スイッチ３が押圧操作されてオンとなった場合に、タイマ８が作動して予め設定した所定時間侵入警報システムが応急状態に設定されて、窓を開放してもコントローラ１３から警報信号が発信されないため、本体ケース２に応急スイッチ３を設けてこの信号を制御部６で処理するという簡易な構成により、本体ケース２部分で一時的な警報解除操作である応急操作を行うことができて、例えばセンサ１が設置されている部屋を掃除する際等に、住人等がコントローラ１３の位置まで戻って解除操作を一々行う必要がなくなり、センサ１の操作性を向上させることができる。
【００２３】
また、応急スイッチ３の操作により在宅時の警戒状態を得ることができるため、この警戒状態と外出時の警戒状態とを区別して使用することができると共に、応急時のコントローラ１３側での警戒設定ができないようになっているため、応急解除をタイマ８の時間設定のみによって行うことができ、警報の必要ない時に警報を送信しないセンサ１を得ることができる。また、応急スイッチ３をＯＮし窓を開放した後に窓を閉じることにより、応急動作をリセットすることができるため、応急動作を自動的にリセットして警戒状態に設定することができて、応急操作時の無警戒状態から警戒状態への復帰が確実となり、信頼性の高い侵入警報システムを得ることが可能となる。
【００２４】
さらに、応急スイッチ３や表示灯４が本体ケース２の前面に露出状態で設けられているため、住人等による操作性を向上させることができると共に、表示灯４のタイマ時間Ｔに対応した赤色点灯により応急スイッチ３の操作状態や応急状態中であるか否かを住人等が確実かつ簡単に把握でき、これらにより、センサ１自体の使い勝手の一層の向上を図ることができる。
【００２５】
ところで、上記実施形態においては、本体ケース２内にリードスイッチ等からなる検知部９を配置したが、本発明はこの構成に限定されず、例えば図７に示すように、制御部６内にドア等の開閉信号が入力される検知部９ａを構築し、この検知部９ａに本体ケース２外に設けられてドア等の開閉状態を検知する検知手段１５を接続する構成としても良い。この場合、検知手段１５としては、例えば図８に示すように、マグネット１６ｂが一体的に取付けられたクレセント錠１６ａと、マグネット１６ｂによりオン・オフされるリードスイッチ１６ｃ等で構成され、クレセント錠１６ａの開閉操作によりリードスイッチ１６ｃのオン・オフ信号が前記検知部９ａに入力されるように構成される。このような実施形態においては、例えばクレセント錠１６ｂのマグネット１６ｃを有効利用できて、本体ケース２内の構成の簡略化が図れると共に、ドア等に必然的に設けられる各種錠を利用できて、設置の汎用性を高めること等が可能となる。
【００２６】
なお、上記実施形態においては、検知部９としてマグネット１２の接離によりオン・オフする非接触型のリードスイッチを使用したが、本発明はこれに限定されず、例えば作動子を有するマイクロスイッチ等を使用し、このスイッチの作動子を窓に設けた駆動板で押圧することによりオン・オフさせる接触型の各種スイッチを使用することもできる。また、上記実施形態における、表示灯４の構成や制御系のブロック図等も一例であって、例えば複数個の表示灯を本体ケースの所定位置に別々に配置する等、本発明に係わる各発明の要旨を逸脱しない範囲において適宜に変更することができる。
【産業上の利用可能性】
【００２７】
本発明は、無線によりコントローラに接続されるセンサに限らず、有線によって接続可能な各種ドア等開閉検知センサにも利用できる。
【図面の簡単な説明】
【００２８】
【図１】本発明に係わるドア等開閉検知センサの平面図
【図２】同その底面図
【図３】同側面図
【図４】同制御系のブロック図
【図５】同動作の一例を示すフローチャート
【図６】同他の動作の一例を示すフローチャート
【図７】本発明に係わるドア等開閉検知センサの他の実施形態を示す概略構成図
【図８】同その検知手段の一例を示す構成図
【符号の説明】
【００２９】
１・・・ドア等開閉検知センサ、２・・・本体ケース、２ａ・・・本体部、２ｂ・・・電池カバー部、３・・・応急スイッチ、４・・・表示灯、５・・・電池、６・・・制御部、７・・・ＣＰＵ、８・・・タイマ、９、９ａ・・・検知部、１０・・・送受信部、１２・・・マグネット、１３・・・コントローラ、１４・・・記憶部、１５・・・検知手段、１６ａ・・・クレセント錠、１６ｂ・・・マグネット、１６ｃ・・・リードスイッチ。
【図１】
0005088872.tif 000002
【図２】
0005088872.tif 000003
【図３】
0005088872.tif 000004
【図４】
0005088872.tif 000005
【図５】
0005088872.tif 000006
【図６】
0005088872.tif 000007
【図７】
0005088872.tif 000008
【図８】
0005088872.tif 000009